(57)【要約】【課題】作業者が発見した病害虫の発生場所、種別、発生レベルを容易に一元管理できる簡易な病害虫管理システム、病害虫管理方法および管理端末を提供する。【解決手段】栽培設備内の作業者が携帯する携帯端末１０と、携帯端末１０と通信可能な管理端末３０とを備え、携帯端末１０は、区画ごとに設けられた区画の位置を示す位置情報を読み取る読取手段と、作業者が発見した病害虫の種別、発生レベルを入力する入力手段と、管理端末３０に送信する通信手段とを有し、管理端末３０は、携帯端末１０から受信した病害虫発見情報を蓄積するデータベースと、データベースに蓄積されている病害虫発見情報に基づいて病害虫管理テーブルを作成する病害虫管理テーブル作成手段と、病害虫管理テーブル作成手段により作成された病害虫管理テーブルを可視化出力する出力手段とを有する。【選択図】図１−１
2018085981.tif 000002
【特許請求の範囲】
【請求項１】
複数の区画に分割された栽培ベッドを有する栽培設備において、発見された病害虫に関する病害虫発見情報を区画ごとに管理する病害虫管理システムであって、
前記栽培設備内の作業者が携帯する携帯端末と、
前記携帯端末と通信可能な管理端末とを備え、
前記携帯端末は、前記区画ごとに設けられた前記区画の位置を示す位置情報を読み取る読取手段と、作業者が発見した病害虫の種別、発生レベルを入力する入力手段と、読み取った位置情報を病害虫の発生場所として、入力された病害虫の種別、発生レベルと対応付けた前記病害虫発見情報を前記管理端末に送信する通信手段とを有し、
前記管理端末は、前記携帯端末から受信した前記病害虫発見情報を蓄積するデータベースと、前記データベースに蓄積されている前記病害虫発見情報に基づいて病害虫管理テーブルを作成する病害虫管理テーブル作成手段と、前記病害虫管理テーブル作成手段により作成された前記病害虫管理テーブルを可視化出力する出力手段とを有し、
前記データベースは、作業者の発見スキルを表す発見スキル情報を蓄積していることを特徴とする病害虫管理システム。
【請求項２】
前記データベースに蓄積されている前記発見スキル情報に基づいて、前記携帯端末から前記管理端末に送信される前記病害虫発見情報、または、前記病害虫管理テーブル作成手段により作成される前記病害虫管理テーブルに登録する前記病害虫発見情報に制限を設けたことを特徴とする請求項１に記載の病害虫管理システム。
【請求項３】
前記携帯端末は、作業者を識別する識別情報を入力する手段と、入力した識別情報に対応する作業者の発見スキルを、前記データベースに蓄積されている前記発見スキル情報から取得する手段と、取得した前記発見スキル情報に対応する画面を表示する手段とをさらに有することを特徴とする請求項２に記載の病害虫管理システム。
【請求項４】
前記管理端末は、前記携帯端末から受信した前記病害虫発見情報が所定の送信条件を満たす場合に、所定の送信先にメールを送信するメール送信手段を有することを特徴とする請求項１〜３のいずれか一つに記載の病害虫管理システム。
【請求項５】
前記管理端末は、前記区画の配置図を作図する手段を有し、前記出力手段は、作図された配置図を可視化出力することを特徴とする請求項１〜４のいずれか一つに記載の病害虫管理システム。
【請求項６】
前記配置図における各区画には、発生レベルに応じた所定の色彩または模様が表示されることを特徴とする請求項５に記載の病害虫管理システム。
【請求項７】
前記配置図における各区画には、発生レベルに応じた所定の色彩または模様が表示されるとともに、その発生レベルに至った日からの経過日数が表示されることを特徴とする請求項５に記載の病害虫管理システム。
【請求項８】
前記管理端末は、前記データベースに蓄積されている前記病害虫発見情報に基づいて所定の前記区画の経過情報を抽出し、前記出力手段は、抽出した前記区画の経過情報を可視化出力することを特徴とする請求項１〜７のいずれか一つに記載の病害虫管理システム。
【請求項９】
前記管理端末は、前記データベースに蓄積されている前記病害虫発見情報に基づいて発生レベル別の情報を抽出し、前記出力手段は、抽出した発生レベル別の情報を可視化出力することを特徴とする請求項１〜８のいずれか一つに記載の病害虫管理システム。
【請求項１０】
請求項１〜９のいずれか一つに記載の病害虫管理システムが行う病害虫管理方法であって、
前記携帯端末が前記病害虫発見情報を前記管理端末に送信する送信ステップと、
前記管理端末が前記携帯端末から受信した前記病害虫発見情報に基づいて病害虫管理テーブルを作成して記録部に記録する作成ステップと、
作成した前記病害虫管理テーブルを記録部から読み出して可視化出力する出力ステップとを備えることを特徴とする病害虫管理方法。
【請求項１１】
複数の区画に分割された栽培ベッドを有する栽培設備において、発見された病害虫に関する病害虫発見情報を区画ごとに管理する病害虫管理システムの一部をなし、前記栽培設備内の作業者が携帯する携帯端末と通信接続されている管理端末であって、
作業者の発見スキルを表す発見スキル情報および前記携帯端末から受信した前記病害虫発見情報を蓄積するデータベースと、
前記データベースに蓄積されている前記病害虫発見情報に基づいて病害虫管理テーブルを作成する病害虫管理テーブル作成手段と、
前記病害虫管理テーブル作成手段により作成された前記病害虫管理テーブルを可視化出力する出力手段と
を有することを特徴とする管理端末。
【請求項１２】
前記携帯端末から受信した前記病害虫発見情報が所定の送信条件を満たす場合に、所定の送信先にメールを送信するメール送信手段を有することを特徴とする請求項１１に記載の管理端末。
【請求項１３】
外部の端末からの検索要求に応じて、前記データベースに蓄積されている前記病害虫発見情報または前記病害虫管理テーブルから前記検索要求に対応した情報を抽出し、抽出した情報を前記外部の端末に送信する手段を有することを特徴とする請求項１１または１２に記載の管理端末。
【請求項１４】
前記区画の配置図を作図する手段を有し、
前記出力手段は、作図された配置図を可視化出力することを特徴とする請求項１１〜１３のいずれか一つに記載の管理端末。
【請求項１５】
前記配置図における各区画には、発生レベルに応じた所定の色彩または模様が表示されることを特徴とする請求項１４に記載の管理端末。
【請求項１６】
前記配置図における各区画には、発生レベルに応じた所定の色彩または模様が表示されるとともに、その発生レベルに至った日からの経過日数が表示されることを特徴とする請求項１４に記載の管理端末。
【請求項１７】
前記データベースに蓄積されている前記病害虫発見情報に基づいて所定の前記区画の経過情報を抽出し、前記出力手段は、抽出した前記区画の経過情報を可視化出力することを特徴とする請求項１１〜１６のいずれか一つに記載の管理端末。
【請求項１８】
前記データベースに蓄積されている前記病害虫発見情報に基づいて発生レベル別の情報を抽出し、前記出力手段は、抽出した発生レベル別の情報を可視化出力することを特徴とする請求項１１〜１７のいずれか一つに記載の管理端末。
【発明の詳細な説明】
【技術分野】
【０００１】
本発明は、植物工場などの農作物栽培設備において、病害虫（害虫や病変）に関連する情報を管理する病害虫管理システム、病害虫管理方法および管理端末に関するものである。
【背景技術】
【０００２】
植物工場などの広大な農作物栽培設備内で病害虫が発生した場合、その発生場所と拡散状況を正確に把握して、適切な処置を施すことが重要である。収穫作業者などが病害虫を発見した場合、収穫作業が終了してから管理者へ報告したり、口頭や手書きメモのやり取りで報告することがある。しかし、このような場合、管理者への報告に遅れが発生したり、発生場所が不正確になってしまうなどの問題が発生するおそれがある。
【０００３】
一方、病害虫情報を電子化し、一元管理して共有化する従来のシステムとして、例えば特許文献１に示すような農作業管理システムが知られている。このシステムは、農作業が中断した理由が害虫または病変（病害虫）の発生である場合に、病害虫の発見に関わる情報を病害虫管理テーブルに登録したり、病害虫の広がり具合を算出して結果を数値表示する。また、作業者の作業場所の特定については、位置情報と作業場所とを関連付けたテーブルを予め用意しておくか、または位置情報を変数として作業場所を出力する関数を予め用意しておき、この位置情報を作業者が携帯する通信端末の位置検出部で検出することで、作業者の作業場所を特定している。
【先行技術文献】
【特許文献】
【０００４】
【特許文献１】国際公開第２００８／１２６２６１号公報
【発明の概要】
【発明が解決しようとする課題】
【０００５】
ところで、上記の複雑だった従来のシステムにおいて、作業者が発見した病害虫の発生場所、種別、発生レベルをより容易に一元管理できる簡易なシステムが求められていた。
【０００６】
本発明は、上記に鑑みてなされたものであって、作業者が発見した病害虫の発生場所、種別、発生レベルを容易に一元管理できる簡易な病害虫管理システム、病害虫管理方法および管理端末を提供することを目的とする。
【課題を解決するための手段】
【０００７】
上記した課題を解決し、目的を達成するために、本発明に係る病害虫管理システムは、複数の区画に分割された栽培ベッドを有する栽培設備において、発見された病害虫に関する病害虫発見情報を区画ごとに管理する病害虫管理システムであって、前記栽培設備内の作業者が携帯する携帯端末と、前記携帯端末と通信可能な管理端末とを備え、前記携帯端末は、前記区画ごとに設けられた前記区画の位置を示す位置情報を読み取る読取手段と、作業者が発見した病害虫の種別、発生レベルを入力する入力手段と、読み取った位置情報を病害虫の発生場所として、入力された病害虫の種別、発生レベルと対応付けた前記病害虫発見情報を前記管理端末に送信する通信手段とを有し、前記管理端末は、前記携帯端末から受信した前記病害虫発見情報を蓄積するデータベースと、前記データベースに蓄積されている前記病害虫発見情報に基づいて病害虫管理テーブルを作成する病害虫管理テーブル作成手段と、前記病害虫管理テーブル作成手段により作成された前記病害虫管理テーブルを可視化出力する出力手段とを有し、前記データベースは、作業者の発見スキルを表す発見スキル情報を蓄積していることを特徴とする。
【０００８】
また、本発明に係る他の病害虫管理システムは、上述した発明において、前記データベースに蓄積されている前記発見スキル情報に基づいて、前記携帯端末から前記管理端末に送信される前記病害虫発見情報、または、前記病害虫管理テーブル作成手段により作成される前記病害虫管理テーブルに登録する前記病害虫発見情報に制限を設けたことを特徴とする。
【０００９】
また、本発明に係る他の病害虫管理システムは、上述した発明において、前記携帯端末は、作業者を識別する識別情報を入力する手段と、入力した識別情報に対応する作業者の発見スキルを、前記データベースに蓄積されている前記発見スキル情報から取得する手段と、取得した前記発見スキル情報に対応する画面を表示する手段とをさらに有することを特徴とする。
【００１０】
また、本発明に係る他の病害虫管理システムは、上述した発明において、前記管理端末は、前記携帯端末から受信した前記病害虫発見情報が所定の送信条件を満たす場合に、所定の送信先にメールを送信するメール送信手段を有することを特徴とする。
【００１１】
また、本発明に係る他の病害虫管理システムは、上述した発明において、前記管理端末は、前記区画の配置図を作図する手段を有し、前記出力手段は、作図された配置図を可視化出力することを特徴とする。
【００１２】
また、本発明に係る他の病害虫管理システムは、上述した発明において、前記配置図における各区画には、発生レベルに応じた所定の色彩または模様が表示されることを特徴とする。
【００１３】
また、本発明に係る他の病害虫管理システムは、上述した発明において、前記配置図における各区画には、発生レベルに応じた所定の色彩または模様が表示されるとともに、その発生レベルに至った日からの経過日数が表示されることを特徴とする。
【００１４】
また、本発明に係る他の病害虫管理システムは、上述した発明において、前記管理端末は、前記データベースに蓄積されている前記病害虫発見情報に基づいて所定の前記区画の経過情報を抽出し、前記出力手段は、抽出した前記区画の経過情報を可視化出力することを特徴とする。
【００１５】
また、本発明に係る他の病害虫管理システムは、上述した発明において、前記管理端末は、前記データベースに蓄積されている前記病害虫発見情報に基づいて発生レベル別の情報を抽出し、前記出力手段は、抽出した発生レベル別の情報を可視化出力することを特徴とする。
【００１６】
また、本発明に係る病害虫管理方法は、上述した病害虫管理システムが行う病害虫管理方法であって、前記携帯端末が前記病害虫発見情報を前記管理端末に送信する送信ステップと、前記管理端末が前記携帯端末から受信した前記病害虫発見情報に基づいて病害虫管理テーブルを作成して記録部に記録する作成ステップと、作成した前記病害虫管理テーブルを記録部から読み出して可視化出力する出力ステップとを備えることを特徴とする。
【００１７】
また、本発明に係る管理端末は、複数の区画に分割された栽培ベッドを有する栽培設備において、発見された病害虫に関する病害虫発見情報を区画ごとに管理する病害虫管理システムの一部をなし、前記栽培設備内の作業者が携帯する携帯端末と通信接続されている管理端末であって、作業者の発見スキルを表す発見スキル情報および前記携帯端末から受信した前記病害虫発見情報を蓄積するデータベースと、前記データベースに蓄積されている前記病害虫発見情報に基づいて病害虫管理テーブルを作成する病害虫管理テーブル作成手段と、前記病害虫管理テーブル作成手段により作成された前記病害虫管理テーブルを可視化出力する出力手段とを有することを特徴とする。
【００１８】
また、本発明に係る他の管理端末は、上述した発明において、前記携帯端末から受信した前記病害虫発見情報が所定の送信条件を満たす場合に、所定の送信先にメールを送信するメール送信手段を有することを特徴とする。
【００１９】
また、本発明に係る他の管理端末は、上述した発明において、外部の端末からの検索要求に応じて、前記データベースに蓄積されている前記病害虫発見情報または前記病害虫管理テーブルから前記検索要求に対応した情報を抽出し、抽出した情報を前記外部の端末に送信する手段を有することを特徴とする。
【００２０】
また、本発明に係る他の管理端末は、上述した発明において、前記区画の配置図を作図する手段を有し、前記出力手段は、作図された配置図を可視化出力することを特徴とする。
【００２１】
また、本発明に係る他の管理端末は、上述した発明において、前記配置図における各区画には、発生レベルに応じた所定の色彩または模様が表示されることを特徴とする。
【００２２】
また、本発明に係る他の管理端末は、上述した発明において、前記配置図における各区画には、発生レベルに応じた所定の色彩または模様が表示されるとともに、その発生レベルに至った日からの経過日数が表示されることを特徴とする。
【００２３】
また、本発明に係る他の管理端末は、上述した発明において、前記データベースに蓄積されている前記病害虫発見情報に基づいて所定の前記区画の経過情報を抽出し、前記出力手段は、抽出した前記区画の経過情報を可視化出力することを特徴とする。
【００２４】
また、本発明に係る他の管理端末は、上述した発明において、前記データベースに蓄積されている前記病害虫発見情報に基づいて発生レベル別の情報を抽出し、前記出力手段は、抽出した発生レベル別の情報を可視化出力することを特徴とする。
【発明の効果】
【００２５】
本発明によれば、作業者が発見した病害虫の発生場所、種別、発生レベルをより容易に一元管理することができるという効果を奏する。
【図面の簡単な説明】
【００２６】
【図１−１】図１−１は、本発明に係る病害虫管理システムの実施の形態を示す概略構成図である。
【図１−２】図１−２は、携帯端末および管理端末の概略構成図である。
【図１−３】図１−３は、本実施の形態の概略フローチャート図である。
【図２−１】図２−１は、栽培設備であるハウス、ロット、レーンの配置例を示す平面図である。
【図２−２】図２−２は、１レーンを構成する栽培ベッドの概略斜視図である。
【図３】図３は、病害虫管理テーブルの一例を示す図である。
【図４】図４は、メールアドレス登録テーブルの一例を示す図である。
【図５−１】図５−１は、携帯端末の基本画面例を示す図である。
【図５−２】図５−２は、携帯端末の表示・入力後の画面例を示す図である。
【図６】図６は、害虫用管理テーブルの登録例を示す図である。
【図７】図７は、害虫用管理テーブルの登録例を示す図である。
【図８】図８は、害虫用管理テーブルからのデータ抽出例を示す図である。
【図９】図９は、害虫用管理テーブルからのデータ抽出例を示す図である。
【図１０】図１０は、害虫用管理テーブルからのデータ抽出例を示す図である。
【図１１】図１１は、害虫用管理テーブルのデータ削除結果例を示す図である。
【図１２】図１２は、病害虫の発生状況の画面表示例を示す図である。
【図１３】図１３は、病害虫の発生状況の画面表示例を示す図である。
【図１４】図１４は、病害虫発見情報の登録例を示す図である。
【図１５】図１５は、病害虫管理テーブルの一例を示す図である。
【図１６】図１６は、病害虫管理テーブルの登録例を示す図である。
【図１７】図１７は、病害虫の発生状況の画面表示例を示す図である。
【図１８】図１８は、病害虫管理テーブルの登録例を示す図である。
【図１９】図１９は、病害虫の発生状況の他の画面表示例を示す図である。
【図２０】図２０は、位置情報の経過情報の画面表示例を示す図である。
【図２１】図２１は、病害虫管理テーブルの登録例を示す図である。
【図２２】図２２は、レベル別発生数のテーブル表示例を示す図である。
【図２３】図２３は、レベル別発生数のグラフ表示例を示す図である。
【図２４】図２４は、発見スキル登録テーブルの一例を示す図である。
【図２５】図２５は、発生レベルの遷移例を示す図である。
【図２６】図２６は、発見スキル登録テーブルの登録例を示す図である。
【図２７】図２７は、処理の流れの一例を示す図である。
【図２８】図２８は、携帯端末の作業者選択画面の一例を示す図である。
【図２９】図２９は、携帯端末の一般用画面の一例を示す図である。
【図３０】図３０は、携帯端末の管理用画面の一例を示す図である。
【図３１】図３１は、病害虫管理テーブルの一例を示す図である。
【図３２】図３２は、病害虫管理テーブルの登録例を示す図である。
【図３３】図３３は、病害虫管理テーブルの登録例を示す図である。
【図３４】図３４は、病害虫管理テーブルの登録例を示す図である。
【発明を実施するための形態】
【００２７】
以下に、本発明に係る病害虫管理システム、病害虫管理方法および管理端末の実施の形態を図面に基づいて詳細に説明する。なお、この実施の形態によりこの発明が限定されるものではない。
【００２８】
図１−１に示すように、本実施の形態に係る病害虫管理システム１００は、複数の区画に分割された栽培ベッドを有する栽培設備において、発見された病害虫に関する病害虫発見情報を区画ごとに管理するシステムであって、栽培設備内の各作業者が携帯する携帯端末１０と、携帯端末１０とネットワークＮを介して通信可能な管理端末３０とを備える。なお、図では一台の携帯端末１０を備えたシステムの例を示しているが、本発明はこれに限るものではなく、複数台の携帯端末１０を備える構成であっても構わない。
【００２９】
図１−２に示すように、携帯端末１０は、例えばタッチパネル式の携帯端末で構成することができ、制御手段１２と、区画ごとに設けられた区画の位置を示す位置情報を読み取る読取手段１４と、作業者が発見した病害虫の種別、発生レベルを入力するタッチパネルなどの入力手段１６と、情報を表示する画面表示手段１８と、読み取った位置情報を病害虫の発生場所として、入力された病害虫の種別、発生レベルと対応付けた病害虫発見情報を管理端末３０に送信する通信手段２０と、情報を記憶する記憶手段２２とを有している。
【００３０】
制御手段１２は、読取手段１４、入力手段１６、画面表示手段１８、通信手段２０、記憶手段２２を制御するものである。この制御手段１２は、読取手段１４で読み取ったロットの位置情報を画面表示手段１８に表示したり、画面表示手段１８に表示した位置情報、作業者が入力手段１６で入力した種別、発生レベル、コメントを取り込んで通信手段２０を介して管理端末３０に病害虫発見情報として送信する処理を行うことができる。
【００３１】
管理端末３０は、演算機能を有するＣＰＵを備えたコンピュータなどにより構成され、データベース４０に蓄積されている病害虫発見情報に基づいて病害虫管理テーブルを作成する病害虫管理テーブル作成手段３４と、病害虫管理テーブル作成手段３４により作成された病害虫管理テーブルを可視化出力するモニタなどからなる出力手段３６と、メール送信手段３８と、データベース４０と、これらを制御する制御手段３２とを有している。データベース４０は、携帯端末１０から受信した病害虫発見情報や、病害虫管理テーブル４２、メールアドレス登録テーブル４４のほか、作業者の発見スキルを表す発見スキル情報が登録された発見スキル登録テーブル４５などを蓄積している。なお、データベース４０は管理端末３０と別体とし、ネットワークＮを介して通信可能に接続してもよい。
【００３２】
病害虫管理テーブル作成手段３４は、データベース４０に蓄積されている病害虫発見情報に基づいて病害虫管理テーブル４２を作成するものである。作成した病害虫管理テーブル４２はデータベース４０に格納される。この場合、管理端末３０が携帯端末１０から病害虫発見情報を受信した場合に、病害虫管理テーブル作成手段３４が病害虫管理テーブルを作成するようにしてもよい。
【００３３】
メール送信手段３８は、携帯端末１０から受信した病害虫発見情報があらかじめ設定した所定の送信条件を満たす場合に、メールアドレス登録テーブル４４に登録されている所定の管理者（が所有する携帯電話端末など）にメールを送信するものである。
【００３４】
次に、本実施の形態における栽培設備の構成について説明する。
本実施の形態では、栽培ベッドを幾つかの矩形状の区画（ロット）に分割してロットごとに位置情報をあらかじめ設定している。この位置情報は、例えばＱＲコード（登録商標）、バーコードやＩＣタグなどの識別子に保持させることができ、例えばＱＲコードをシールに印字したり、ＩＣタグに記録してこれをロットごとに取り付ける構成とする。したがって、位置情報は病害虫発生場所を表すことになる。本実施の形態では、ロットに取り付けられたＱＲコードやＩＣタグに記録された位置情報を作業者が携帯する携帯端末１０の読取手段１４で読み取り、その位置情報と病害虫発生データ（病害虫の種別、発生レベル）を紐づけて管理端末３０で管理する。
【００３５】
例えば、図２−１に示すように、栽培設備であるハウスが１０棟あり、各ハウスが６レーンで構成され、１つのレーンを四角のロット（区画）で１０ロットに区切って管理する場合について説明する。各ロットの位置を示す位置情報を、それぞれ２桁の数字からなるハウス番号とレーン番号とロット番号とをこの順序で配置した数列で定義する。例えば図２−１において黒く塗り潰したロットは、ハウス番号＝０１、レーン番号＝０２、ロット番号＝０５であるので、その位置情報は「０１０２０５」となる。この位置情報を記録したＱＲコードを作成してシールに印字し、または、ＩＣタグに記録し、このシールまたはＩＣタグをハウス０１のレーン０２の栽培ベッドのロット０５の位置に取り付ける。ＱＲコードのシールやＩＣタグは、収穫が終了して次の新しい苗の栽培を開始しても継続して使用が可能である。
【００３６】
図２−２に、ハウス０１のレーン０２の栽培ベッドの各ロット５０にＱＲコードが印字されたシール５２を取り付けた例を示す。図の例では、ＱＲコードのシールに印字されている位置情報は、左から０１０２０１、０１０２０２、０１０２０３、０１０２０４、０１０２０５、０１０２０６、０１０２０７、０１０２０８、０１０２０９、０１０２１０となっている。
【００３７】
次に、病害虫管理テーブルについて説明する。
図３は、データベース４０に格納されている病害虫管理テーブル４２の一例である。この図に示すように、このテーブルには、位置情報、現在レベル、登録回数、登録情報１、登録情報２の欄が設けられている。現在レベルは、その位置（ロット）での病気または害虫の現在の発生レベルを示している。登録情報１はさらに発見日時、レベル、コメントの欄に分けられている。発見日時は携帯端末から受信した日時、レベルは発生レベルの軽重に応じてあらかじめ設定したレベル１（軽）／２（中）／３（重）である。なお、同一の位置情報に対して２回目以降の「病害虫発見情報」を受信したときには、病害虫管理テーブル作成手段３４は上書きをしないで、登録回数を更新して、登録情報１、２、・・・というように欄を追加して登録をする。現在レベルは、最新のレベルに更新する。現在レベルは、後述するように、管理者のテーブル編集によって修正されることを想定している。なお、このテーブルには、発見した病害虫の発生レベルが前回と同じレベルと判断したときは登録せずに、レベルが異なると判断したときだけ登録してもよい。
【００３８】
次に、メールアドレス登録テーブルについて説明する。
図４は、データベース４０に格納されているメールアドレス登録テーブル４４の一例を示す図である。このテーブルには、メールアドレスと名前と複数の送信条件１、２、・・・、Ｎが対応付けて登録されている。送信条件は任意の条件を設定可能であるが、例えば病害虫の種別（病気、害虫、その他）、病害虫の発生レベル（軽、中、重）、種別（病気、害虫、その他）×発生レベル（軽、中、重）などのように、運用に合わせて設定することができる。管理端末３０は、この送信条件を満たすメールアドレスに対してメールを配信する。メール配信が不要なメールアドレスはこのテーブルに登録しない。このメールアドレス登録テーブル４４の登録内容は、管理端末３０を通じて事前に登録し、または適宜追加、変更することができる。
【００３９】
次に、発見スキル登録テーブルについて説明する。
図２４は、データベース４０に格納されている発見スキル登録テーブル４５の一例を示す図である。このテーブルには、作業者の名前と、その作業者の発見スキルを表す発見スキル情報が対応付けて登録されている。発見スキル情報は運用に合わせて適宜設定可能であるが、本実施の形態では作業者の発見スキルを「一般」と「管理」に区分し、これを発見スキル情報として用いる。ここで、発見スキルが「一般」とは、発見スキルが一般作業者レベルであることをいい、発見スキルが「管理」とは、発見スキルが管理者レベルであることをいう。発見スキルは、一般作業者レベルよりも管理者レベルの方が高い。発見スキル登録テーブル４５の登録内容は、管理端末３０を通じて事前に登録し、または適宜追加、変更することができる。
【００４０】
次に、携帯端末１０の画面表示例について説明する。
図５−１の基本画面に示すように、携帯端末１０の裏面に設けた読取手段１４から位置情報の読み取りを開始する「位置情報リード」ボタン６０、読み取った位置情報を表示する「位置情報」表示エリア６２、「位置情報」表示エリアに表示された位置情報を消去する「クリア」ボタン６４、病害虫の種別を「病気」、「害虫」、「その他」から選択入力する「種別」ボタン６６、病害虫の発生レベルを「重」、「中」、「軽」から選択入力する「レベル」ボタン６８、コメントを入力する「コメント」入力エリア７０、入力、表示した情報を図外の管理端末３０に送信する「送信」ボタン７２とを備える。
【００４１】
作業者はこの携帯端末１０を携帯して収穫等の作業を行い、病害虫を発見した場合は、この携帯端末１０を使用して管理端末３０に「病害虫発見情報」を送信する。
【００４２】
次に、作業者が病害虫を発見した場合の病害虫管理システムの処理フローについて説明する。
図１−３に示すように、作業者の操作により携帯端末１０は発見場所を示すロットの位置情報を読み取る（ステップＳ１）。続いて携帯端末１０において病害虫の種別、発生レベルを入力し（ステップＳ２）、携帯端末１０はこれらを病害虫発見情報として管理端末３０に送信する（ステップＳ３）。病害虫発見情報を受信した管理端末３０は、病害虫管理テーブルを作成し（ステップＳ４）、これをモニタなどに出力表示する（ステップＳ５）。
【００４３】
次に、携帯端末１０の操作手順の一例を説明する。
まず、作業者が病害虫を発見した場合には、図５−２に示すように、「位置情報リード」ボタン６０を押下し、そのロットに取り付けてある識別子に保持された位置情報を携帯端末１０の読取手段１４で読み取り、位置情報を取得する（ステップＳ１）。病害虫を発見した箇所が複数箇所であれば、発見したロットについて位置情報を複数回読み取る。これにより、「位置情報」表示エリア６２に位置情報が表示される。次に、作業者は「種別」ボタン６６で、「病気」か「害虫」か「その他」を押下して種別を選択入力する。続いて、「レベル」ボタン６８で、「重」か「中」か「軽」を押下してレベルを選択入力する（ステップＳ２）。コメントがあれば、「コメント」入力エリア７０に入力手段１６の例えばタッチスクリーン型キーボードを使用してコメントを入力する。その後、「送信」ボタン７２を押下する。これにより、携帯端末１０の制御手段１２は管理端末３０に上記の位置情報、種別、レベル、コメントからなる「病害虫発見情報」を送信する（ステップＳ３）。なお、図５−２の例では、病害虫が発見されたロットの位置情報が０１０２０５、０１０２０６の２箇所で、種別が害虫、レベルが軽、コメントがアブラムシである場合を示している。
【００４４】
次に、管理端末３０の具体的な処理内容について説明する。
管理端末３０は、携帯端末１０から「病害虫発見情報」を受信すると、以下の処理を行う。
【００４５】
（１）病害虫管理テーブルの作成（ステップＳ４）
管理端末３０の病害虫管理テーブル作成手段３４は、受信した病害虫発見情報を病気用と害虫用に分けて病害虫管理テーブル４２に各々登録する。図６および図７は、害虫用管理テーブルの登録例である。例えば発見日時２０１６／０１／０５に「位置情報＝０１０２０５，０１０２０６、種別＝害虫、レベル＝１（軽）、コメント＝アブラムシ」の病害虫発見情報を受信した場合は、図６に示すような害虫用管理テーブル４２ａが登録されることになる。
【００４６】
また、例えば発見日時２０１６／０１／１０に「位置情報＝０１０２０６，０１０２０７、種別＝害虫、レベル＝２（中）、コメント＝アブラムシ」、「位置情報＝０９０３０４、種別＝害虫、レベル＝１（軽）、コメント＝アブラムシ」の病害虫発見情報を受信した場合は、図７に示すような害虫用管理テーブル４２ｂが登録されることになる。
【００４７】
ここで、位置情報＝０１０２０６は既に発見日時２０１６／０１／０５での情報が登録情報１に登録されているので、登録情報２として登録するとともに登録回数を２に更新する。また、今回の発見では、レベルは登録情報１の軽（１）から中（２）へ上がっているため、現在レベルを１から２に変更する。現在レベルを見ることで、病害虫の進行程度がわかる。
【００４８】
（２）モニタ表示（ステップＳ５）
上記のように作成された病害虫管理テーブル４２（害虫用管理テーブル４２ａ、４２ｂ）は、モニタなどの出力手段３６により可視化表示される。管理者はこの表示を見ることで病害虫発見情報を把握することができる。また、管理者はこの表示に基づいて、病害虫発生の実態について現場確認を行うことができる。
【００４９】
＜変形例＞
次に、本実施の形態の変形例について説明する。
【００５０】
（変形例１）
まず、変形例１について説明する。この変形例１は、管理端末３０が病害虫発見メールの配信処理を行うものである。
【００５１】
管理端末３０のメール送信手段３８は、上記の病害虫管理テーブル４２に新規に登録されたとき、または、病害虫管理テーブル４２に登録されている現在レベルが上がったときに、メールアドレス登録テーブル４４の送信条件を判定して、送信対象であればメールアドレス登録テーブル４４に登録済みのメールアドレスに対して病害虫発見情報（後述する発生レベルに応じて色分け表示されたロット配置図などを含む）に関するメールを送信する。
【００５２】
（変形例２）
次に、変形例２について説明する。この変形例２は、管理端末３０がデータ抽出およびデータ送信処理を行うものである。
【００５３】
管理端末３０は、携帯端末１０を含む外部のユーザ端末より病害虫の発生状況などの検索要求を受信すると、制御手段３２によって以下の処理を行うことも可能である。例えば、管理端末３０の制御手段３２は、データベース４０から種別、ハウス番号、発見日時などの抽出条件に一致するデータを検索し、位置情報やレベルなどの病害虫の発生に係るデータを抽出して、応答データとして外部のユーザ端末に送信する。
【００５４】
・最新データの抽出
例えば、日時２０１６／０１／０７現在で害虫用管理テーブルが図６に示す内容のときに、管理端末３０が外部のユーザ端末より抽出条件＝ハウス０１の害虫の最新データの取得要求を受信した場合には、制御手段３２は、図８に示すように、点線枠内のデータ（位置情報、現在レベル）を抽出する。また、日時２０１６／０１／１４現在で害虫用管理テーブルが図７に示す内容のときに、抽出条件＝ハウス０１の害虫の最新データの取得要求を受信した場合には、制御手段３２は、図９に示すように、点線枠内のデータ（位置情報、現在レベル）を抽出する。
【００５５】
・指定日データの抽出
日時２０１６／０１／１４現在で害虫用管理テーブルが図７に示す内容のときに、抽出条件＝ハウス０１の害虫の日時２０１６／０１／０７時点のデータの取得要求を受信した場合には、制御手段３２は、図１０に示すように、点線枠内のデータ（位置情報、レベル）を抽出する。
【００５６】
（変形例３）
次に、変形例３について説明する。この変形例３は、管理端末３０が病害虫管理データの削除処理を行うものである。
【００５７】
管理端末３０は、収穫終了などのタイミングで、ハウス番号や、ハウス番号＋レーン番号を指定して病害虫管理テーブル４２から該当データを削除し、履歴として別の病害虫管理テーブル４２へ移動して保存する。例えば、害虫用管理テーブルが図９に示す内容のときに、ハウス０１の収穫が終了して、ユーザ操作によりハウス０１のデータが削除されると、害虫用管理テーブルは図１１のようになる。
【００５８】
（変形例４）
次に、変形例４について説明する。この変形例４は、管理端末３０が病害虫の発生状況の画面表示処理を行うものである。
【００５９】
管理端末３０は、例えばデータベースから、所定の抽出条件（例えばハウス番号、種別、対象日付（本日（最新表示）、比較日付１・２（比較表示）））に合致する位置情報１、レベル、・・・、位置情報Ｎ、レベルを抽出することができる。そして、制御手段３２は、この抽出結果を元に、ロット構成を模した配置図を作図し、レベルを色分けして（例えば１（軽）→黄色、２（中）→橙色、３（重）→赤色）、位置情報のロットの位置にその色をモニタなどの出力手段３６に表示させることができる。例えば、図８の点線枠内のデータを抽出した場合は、制御手段３２は、図１２のような配置図を作図して出力手段３６に表示させる。
【００６０】
また、図９と図１０の点線枠内のデータを抽出した場合は、制御手段３２は、図１３のような図を作図して出力手段３６に表示させる。図１３によれば、２０１６／０１／０７から２０１６／０１／１４までの１週間で、０１０２０５ではレベルは黄色（軽）を継続しており、０１０２０６ではレベルが黄色（軽）→橙色（中）となってレベルが進行しており、０１０２０７では発生なし→橙色（中）となり、１週間で害虫が拡散・増殖したことが視覚的にすぐわかる。これによって、ユーザまたは作業者は発生場所での確認や薬剤散布などの対応を迅速に行うことが可能となる。
【００６１】
（変形例５）
次に、変形例５について説明する。この変形例５は、管理端末３０が登録情報の編集処理を行うものである。
【００６２】
ここで、管理端末３０は持ち運びが容易なタブレット型端末で構成されるものとする。このため、管理者は、管理端末３０を持って発見報告を受けた病害虫の発生場所に行き、管理端末３０の出力手段３６による表示を見ながら状況を直接確認することができる。この確認の結果、作業者が見落としたり、新たに発生した病害虫を発見したり、作業者が登録したレベルを修正する必要がある場合は、携帯中の管理端末３０から登録情報（病害虫発見情報）の編集をその場で行うことができる。
【００６３】
例えば、図１４はタブレット型の管理端末３０に備わる画面の表示例である。この管理端末３０は図１４の左側の（１）、（３）に示すように、ロット構成の配置図４６を表示可能であるとともに、画面切り替えにより、図１４の右側の（２）、（４）に示すように、携帯端末１０の画面のような表示（図５−１、５−２を参照）も可能となっている。図１４（１）に示すように、管理者は管理端末３０の画面に表示されたロットを選択する。出力手段３６は、選択したロットを太枠表示する。これにより、画面表示が図１４（２）のように切り替わる。そして、管理者は携帯端末１０の場合と同様にして図１４（２）のような画面上で病害虫発見情報を登録する。例えば、図７の２０１６／０１／１０に作業者が行った登録を受けて、管理者が管理端末３０を持って発生場所に行き、害虫の発生状況の確認を行った結果、位置情報＝０１０２０８に軽レベルの害虫を発見し、位置情報＝０１０２０６の発生レベルは中レベルではなく重レベルと判断したというような場合には、管理者は各位置のロットを選択して図１４（２）と（４）のように病害虫発見情報を登録した後、「登録」ボタンを押下する。こうすることで、管理者による修正内容が登録される。この結果、図１４（１）のロット配置図４６は０１０２０６と０１０２０８のロットの色が変わって図１４（３）のように表示される。すなわち、０１０２０６の発生レベルは中レベル（橙色）から重レベル（赤色）になり、０１０２０８の発生レベルは発生なしから軽レベル（黄色）になる。
【００６４】
管理者は、ハウスごとの病気と害虫ごとの最新データが示されたロット配置図４６から病気や害虫の発生状態や範囲を把握し終えたら、管理端末３０の画面の図示しない「確認終了」ボタンを押下することによって、図１５に示すように、確認日付の欄にその印を付けることができる。
【００６５】
管理端末３０は、図１５に示すように、確認日付の欄を有する病害虫管理テーブル４２ｃを使用し、位置情報を新規登録、または、現在レベルが変更になったときに、「確認日付」をクリアにする。管理端末３０の画面上において「確認終了」ボタンを押下すると、図１６に示すように、病害虫管理テーブル４２ｄの確認日付の欄に現在日付が入力される。また、管理端末３０は、上記のデータ抽出処理において、最新データを抽出したときに、点線枠内のデータ（位置情報、レベル、確認日付）を抽出することができる。
【００６６】
管理端末３０の制御手段３２は、抽出したデータに基づいて、図１７の上図に示すようなロット構成を模したロット配置図４６を作成し、これを出力手段３６に表示させる。ロット配置図４６は、発生レベルを軽重に応じて色分けしたものであり（例えば１（軽）→黄色、２（中）→橙色、３（重）→赤色）、位置情報に対応するロットの位置をその色で表示する。ここで、出力手段３６の表示画面においては、図１７の上図に示すように、確認日付のない位置情報のロットを太枠などにより強調表示するとともに、下部に「確認終了」ボタンを表示する。図１７の上図の例では位置情報＝０１０２０６、０１０２０７に対応するロットが太枠で強調表示されているので、レベルが進行したか、新規の害虫発生であることが容易にわかる。確認終了後に管理者が「確認終了」ボタンを押下すると、図１７の下図に示すように強調表示が解除されたロット配置図４６に切り替わる。この結果、病害虫管理テーブル４２ｄには、図１８に示すように確認日付が登録され、その病害虫発見情報については管理者による確認が終了したことがわかる。
【００６７】
（変形例６）
次に、変形例６について説明する。この変形例６は、経過日数を画面表示するものである。
【００６８】
上記の病害虫の発生状況の画面表示例では、単にレベルを色分けして出力手段３６の画面に表示しているが（１（軽）→黄色、２（中）→橙色、３（重）→赤色）、この変形例では、より詳しい情報として、そのレベルの状態になってからの経過日数もこの画面に表示する。出力手段３６への表示制御は上記と同様に管理端末３０の制御手段３２が行う。
【００６９】
管理端末３０の制御手段３２から例えばデータベース４０に所定の抽出条件（例えばハウス番号、種別、対象日付（本日（最新表示））、オプション（経過日数））を指定してデータの取得要求を送信すると、データベース４０は、図１５の病害虫管理テーブル４２ｃを使用して、オプションに経過日数がある場合は、抽出条件に一致したデータを抽出し、（位置情報１、レベル、確認日付、経過日数）、・・・、（位置情報Ｎ、レベル、確認日付、経過日数）を応答データとして返信する。ここで、経過日数は、そのレベルの状態になってからの経過日数であり、各ロットの最終登録情報の発見日時と本日の差分を日単位で計算して算出される。
【００７０】
例えば、図１８において本日が２０１６／０１／１０とすると、経過日数は以下のようになる。
位置情報010205・・・登録情報１の発見日時2016/01/05〜2016/01/10で６日間
位置情報010206・・・登録情報２の発見日時2016/01/10〜2016/01/10で１日間
位置情報010207・・・登録情報１の発見日時2016/01/10〜2016/01/10で１日間
【００７１】
そして制御手段３２は、受信した応答データを元に、図１９のようなロット構成を模した配置図を作図して出力手段３６に表示させる。この場合、レベルを色分けして（例えば１（軽）→黄色、２（中）→橙色、３（重）→赤色）、位置情報のロットの位置にその色を表示させるとともに、経過日数を数値で表示させる。
【００７２】
図１９の画面表示例に示すように、２０１６／０１／１０時点で、０１０２０５はレベル１（軽：黄色）になってから６日、０１０２０６と０１０２０７はレベル２（中：橙色）になってから１日が経過していることが画面からわかる。
【００７３】
翌日の２０１６／０１／１１までに図１８の内容に変更がなければ、２０１６／０１／１１時点での経過日数は、
位置情報010205・・・登録情報１の発見日時2016/01/05〜2016/01/11で７日
位置情報010206・・・登録情報２の発見日時2016/01/10〜2016/01/11で２日
位置情報010207・・・登録情報１の発見日時2016/01/10〜2016/01/11で２日
となる。
【００７４】
また、さらに詳しい情報として、そのロットの現在までの経過情報を表示してもよい。
【００７５】
各ロットの経過を見たい場合は、管理端末３０の制御手段３２から例えばデータベース４０に所定の抽出条件（位置情報、種別、対象日付（本日（最新表示））、オプション（経過情報））を指定してデータの取得要求を送信すると、データベース４０は、オプションに「経過情報」がある場合は、抽出条件に一致したデータを抽出し、（日付１、レベル、経過日数、コメント）、・・・、（日付Ｎ、レベル、経過日数、コメント）を応答データとして返信する。
【００７６】
ここで、登録情報が複数（Ｎ個）ある場合は、１個目と２個目、２個目と３個目、・・・、（Ｎ−２）個目と（Ｎ−１）個目の２つの登録情報の発見日時との差分を日単位で計算し、Ｎ個目の登録情報の発見日時と本日との差分を日単位で計算すればよい。登録情報が１個の場合は、１個目の登録情報の発見日時と本日との差分を日単位で計算すればよい。
【００７７】
そして制御手段３２は、受信した応答データを元に、経過情報を出力手段３６に表示させる。図１８のときに２０１６／０１／１１時点で表示させる場合には、例えば図２０のように表示させる（発見日時の降順）。
【００７８】
このように、ロット配置図において、色分け表示とともに経過日数を併せて表示することで、病害虫の発生状況をより正確に視覚的に把握することができる。
【００７９】
（変形例７）
次に、変形例７について説明する。この変形例７は、レベル別発生数を画面表示するものである。
【００８０】
上述した図１３（変形例４）は、比較日付１・２（比較表示）を指定したときの病害虫の発生状況の画面表示例である。このような画面表示では２つの日付を比較できるが、この期間の病害虫の拡散・進行過程はわからない。そこで、この期間の拡散・進行過程がわかるように、レベル別発生数の情報を抽出して画面表示する。
【００８１】
管理端末３０の制御手段３２から例えばデータベース４０に所定の抽出条件（ハウス番号、種別、対象期間（開始日・終了日）、オプション（レベル別発生数））を指定してデータの取得要求を送信すると、データベース４０は、抽出条件に一致したデータ＜日付１、合計数、レベル発生数（軽、中、重）、レベル進行数（無→軽、軽→軽、無→中、軽→中、中→中、無→重、軽→重、中→重、重→重）＞、・・・、＜日付Ｎ、合計数、レベル発生数（軽、中、重）、レベル進行数（無→軽、軽→軽、無→中、軽→中、中→中、無→重、軽→重、中→重、重→重）＞を応答データとして返信する。制御手段３２は、受信した応答データを元に、レベル別発生数のテーブルを作表するとともに、そのグラフを作図して出力手段３６に表示させる。
【００８２】
例えば、図１８に対して登録が行われて、現在、病害虫管理テーブル４２が図２１に示すような内容になっているとする。
【００８３】
これに対し、抽出条件としてハウス０１、病害虫、対象期間：２０１６／０１／０１〜２０１６／０１／２１、オプション「レベル別発生数」を指定した場合、以下のような応答データとなる。
【００８４】
日付,合計,軽,中,重,無→軽,軽→軽,無→中,軽→中,中→中,無→重,軽→重,中→重,重→重
２０１６／０１／０１，０，０，０，０，０，０，０，０，０，０，０，０，０
２０１６／０１／０２，０，０，０，０，０，０，０，０，０，０，０，０，０
２０１６／０１／０３，０，０，０，０，０，０，０，０，０，０，０，０，０
２０１６／０１／０４，０，０，０，０，０，０，０，０，０，０，０，０，０
２０１６／０１／０５，２，２，０，０，２，０，０，０，０，０，０，０，０
２０１６／０１／０６，２，２，０，０，０，２，０，０，０，０，０，０，０
２０１６／０１／０７，２，２，０，０，０，２，０，０，０，０，０，０，０
２０１６／０１／０８，２，２，０，０，０，２，０，０，０，０，０，０，０
２０１６／０１／０９，２，２，０，０，０，２，０，０，０，０，０，０，０
２０１６／０１／１０，３，１，２，０，０，１，１，１，０，０，０，０，０
２０１６／０１／１１，８，５，３，０，５，０，０，１，２，０，０，０，０
２０１６／０１／１２，８，５，３，０，０，５，０，０，３，０，０，０，０
２０１６／０１／１３，８，５，３，０，０，５，０，０，３，０，０，０，０
２０１６／０１／１４，９，５，４，０，０，５，１，０，３，０，０，０，０
２０１６／０１／１５，９，５，４，０，０，５，０，０，４，０，０，０，０
２０１６／０１／１６，９，５，４，０，０，５，０，０，４，０，０，０，０
２０１６／０１／１７，９，５，４，０，０，５，０，０，４，０，０，０，０
２０１６／０１／１８，９，３，５，１，０，３，０，２，３，０，０，１，０
２０１６／０１／１９，９，３，５，１，０，３，０，０，５，０，０，０，１
２０１６／０１／２０，１０，３，５，２，０，３，０，０，５，１，０，０，１
２０１６／０１／２１，１０，３，５，２，０，３，０，０，５，０，０，０，２
【００８５】
これらのデータを、例えば図２２に示すようにテーブル表示する。また、図２３に示すようにグラフ表示する。
【００８６】
図２３においては、各レベルの発生数と合計数は折れ線グラフ、新規発生（無→軽、無→中、無→重）とレベル進行（軽→中、軽→重、中→重）は積み上げ縦棒グラフで表示する。ここでは、レベルが同じ系列（軽→軽、中→中、重→重）の表示は行っていない。
【００８７】
例えば、積み上げ縦棒グラフから
１／５  ・・・    軽レベルが２ロット発生
１／１０  ・・・  中レベルが１ロット発生、発生していた軽レベル１ロットが中レベルへ進行
１／１１  ・・・  軽レベルが５ロット発生、発生していた軽レベル１ロットが中レベルへ進行
１／１４  ・・・  中レベルが１ロット発生
１／１８  ・・・  発生していた軽レベル２ロットが中レベルへ進行
発生していた中レベル１ロットが重レベルへ進行
１／２０  ・・・  重レベルが１ロット発生
であることがわかる。
【００８８】
また、折れ線グラフである各レベルの発生数を見ると、初めは軽レベルのみで、９日以降に中レベルが増え、１８日に軽レベルと中レベルの発生数が逆転し、また、重レベルが増え始めたことがわかる。
【００８９】
このようにレベル別発生数をグラフ表示することで、２つの日付の画面比較では捉えきれない期間内の病害虫の発生状況の拡散・進行過程（発生数の遷移）を、より的確に把握することができる。
【００９０】
このように、本実施の形態によれば、栽培設備内で作業者が病害虫を発見したときに、栽培ベッドに取り付けられた位置情報を携帯端末１０で読み取るとともに、この携帯端末１０の画面で発生状況に対応した病害虫の種別と発生レベルを選択して、管理端末３０に送信するという簡易な操作によって、病害虫発見情報を電子化して管理端末３０に備わるデータベース４０に蓄積し、一元管理することができる。また、データベース４０に蓄積された病害虫発見情報から発生状況などを検索し、ロット構成を模したロット配置図４６上に発生レベルを軽重の度合いに応じて色分け表示することで、視覚的な確認・判断が容易となる。また、周囲のロットの発生状況との比較が容易となり、病害虫の発生状態や発生範囲をより的確に把握することができる。
【００９１】
（変形例８）
次に、変形例８について説明する。この変形例８は、作業者の発見スキル（一般、管理）に合わせて、携帯端末１０で登録できる病害虫の発生レベルに制限を設けたものである。
【００９２】
より具体的には、作業者の発見スキルに合わせて、登録する情報に制約を設けることで、より正確な情報を登録できるようにする。つまり、発見スキルが「一般」の一般作業者は病害虫の発生レベルの正しい判断ができないおそれがあるので、一般作業者の携帯端末１０では、病害虫が「発生している」ことを「発生レベル＝発見」として管理端末３０に登録できるようにする。こうして管理端末３０に登録される発生レベルは、例えば「軽」と同等レベルとする。その後、管理端末３０に登録された「発見」を管理者が確認して、必要に応じて登録内容を修正する。例えば発生レベルを変えたり（中や重に上げたり）、発生していないと判断できる場合は、取り消しを行う。図２５に、管理端末３０に登録される発生レベルの遷移例を示す。
【００９３】
このような処理を実現するために、携帯端末１０は、病害虫発見情報を登録するための画面として、使用する作業者の発見スキルに応じた画面を表示する。例えば、発見スキルが「一般」の場合には一般用画面を表示し、発見スキルが「管理」の場合には管理用画面を表示する。
【００９４】
次に、発見スキルに応じて一般用画面と管理用画面に切り替える場合の処理フローについて説明する。
【００９５】
まず、事前準備として、図２６に示すように、管理端末３０からデータベース４０の発見スキル登録テーブル４５に作業者の名前と発見スキルを登録しておく。
【００９６】
図２７は、携帯端末１０の画面の切り替えから管理端末３０への登録までの処理の流れを示したものである。この図に示すように、作業開始時に作業者が携帯端末１０の電源を投入し、「病害虫発見情報」を管理端末３０に送信する制御手段１２としてのアプリケーションを起動すると（ステップＳ１１）、アプリケーションは管理端末３０のデータベース４０の発見スキル登録テーブル４５から作業者の名前と発見スキルの一覧を取得する（ステップＳ１４、Ｓ２１）。アプリケーションは、図２８（１）に示すように、携帯端末１０の画面表示手段１８に作業者選択画面を表示し、取得した名前の一覧を「作業者選択」表示エリア７４に表示する（ステップＳ１５）。
【００９７】
図２８（２）に示すように、作業者が名前の一覧から自分の名前を選択し、「確定」ボタン７６を押すと（ステップＳ１２）、アプリケーションは選択された名前に対応する発見スキルを判定して、この名前と発見スキルを内部メモリ等に保持する（ステップＳ１６）。なお、図２８（２）の例は、作業者の名前「□□  □□」が選択された場合を示している。判定の結果、発見スキルが一般であれば（ステップＳ１７で「一般」）、図２９（１）に示すような一般用画面を表示する（ステップＳ２０）。一方、発見スキルが管理であれば（ステップＳ１７で「管理））、図３０（１）に示すような管理用画面を表示する（ステップＳ１８）。
【００９８】
ここで、図２９の一般用画面、図３０の管理用画面は、図５−１の基本画面をベースとしている。ただし、図２９の一般用画面の「レベル」ボタン６８Ａでは、発生レベルは「発見」の１種類となっている。また、図３０の管理用画面の「レベル」ボタン６８Ｂでは、発生レベルは「軽」、「中」、「重」、「クリア」の４種類となっている。
【００９９】
作業者は、この一般用画面または管理用画面において、位置情報、種別、レベル、コメントを入力する。入力後の画面例を図２９（２）、図３０（２）に示す。図２９（２）では、「位置情報＝０１０２０７、種別＝病気、レベル＝発見、コメント＝白っぽい」が入力され、図３０（２）では、「位置情報＝０１０２０７、種別＝病気、レベル＝中、コメント＝うどんこ病」が入力されている。
【０１００】
作業者が、図２９（２）の一般用画面または図３０（２）の管理用画面において「送信」ボタン７２を押下すると（ステップＳ１３）、アプリケーションは、入力された位置情報、種別、レベル、コメントの他に、内部メモリ等に保持しておいた作業者の名前と発見スキルを付加した「病害虫発見情報」を管理端末３０に送信する（ステップＳ１９）。
【０１０１】
管理端末３０は、携帯端末１０から作業者の名前と発見スキルを付加した「病害虫発見情報」を受信して、受信した情報を図３１に示すような病害虫管理テーブル４２ｅに登録する（ステップＳ２２）。この病害虫管理テーブル４２ｅは、上記の変形例５の病害虫管理テーブル４２ｃ（図１５を参照）に、発見者名前（作業者の名前）と発見スキルを追加した内容である。図２９（２）の携帯端末１０から受信した場合の登録例を図３２に示す。
【０１０２】
次に、管理者が現地確認して登録内容を更新する場合について説明する。
上記の登録を受けて、管理者が携帯端末１０を持って位置情報０１０２０７の場所に行き確認を行ったところ、発生レベルが「中」だったとする。管理者が作業者選択画面（図２８を参照）で自分の名前の「○○  ○○」を選択・確定すると、管理者の発見スキルは「管理」であるので、管理用画面（図３０を参照）が表示される。この管理用画面で例えば図３０（２）に示す情報を入力して管理端末３０に送信する。管理端末３０は受信した作業者の名前と発見スキルを付加した「病害虫発見情報」を、図３３に示すように、病害虫管理テーブル４２ｅの位置情報０１０２０７の登録情報２として登録し、現在レベル、確認日付、登録回数を更新する。
【０１０３】
一方、管理者が携帯端末１０を持って位置情報０１０２０７の場所に行き確認を行ったところ、病気ではなかったと判定した場合は、図３０の管理用画面の「レベル」ボタン６８Ｂで「クリア」を選択して送信する。管理端末３０は受信した作業者の名前と発見スキルを付加した「病害虫発見情報」を、図３４に示すように、病害虫管理テーブル４２ｅの位置情報０１０２０７の登録情報２として登録し、現在レベル、確認日付、登録回数を更新する。クリアの場合は、レベルを０として扱う。
【０１０４】
このように、この変形例８によれば、作業者の発見スキルに合わせて、携帯端末１０で登録できる病害虫の発生レベルに制限を設けることで、より正確に栽培物の育成状態を管理することができる。
【産業上の利用可能性】
【０１０５】
以上のように、本発明に係る病害虫管理システム、病害虫管理方法および管理端末は、植物工場などの農作物栽培設備において、病害虫に関連する情報を管理するのに有用であり、特に、作業者が発見した病害虫の発生場所、種別、発生レベルを一元管理するのに適している。
【符号の説明】
【０１０６】
１０  携帯端末
１２  制御手段
１４  読取手段
１６  入力手段
１８  画面表示手段
２０  通信手段
２２  記憶手段
３０  管理端末
３２  制御手段
３４  病害虫管理テーブル作成手段
３６  出力手段
３８  メール送信手段
４０  データベース
４２  病害虫管理テーブル
４４  メールアドレス登録テーブル
４５  発見スキル登録テーブル
４６  ロット配置図
５０  ロット
５２  シール
１００  病害虫管理システム
Ｎ  ネットワーク
【図１−１】
2018085981.tif 000003
【図１−２】
2018085981.tif 000004
【図１−３】
2018085981.tif 000005
【図２−１】
2018085981.tif 000006
【図２−２】
2018085981.tif 000007
【図３】
2018085981.tif 000008
【図４】
2018085981.tif 000009
【図５−１】
2018085981.tif 000010
【図５−２】
2018085981.tif 000011
【図６】
2018085981.tif 000012
【図７】
2018085981.tif 000013
【図８】
2018085981.tif 000014
【図９】
2018085981.tif 000015
【図１０】
2018085981.tif 000016
【図１１】
2018085981.tif 000017
【図１２】
2018085981.tif 000018
【図１３】
2018085981.tif 000019
【図１４】
2018085981.tif 000020
【図１５】
2018085981.tif 000021
【図１６】
2018085981.tif 000022
【図１７】
2018085981.tif 000023
【図１８】
2018085981.tif 000024
【図１９】
2018085981.tif 000025
【図２０】
2018085981.tif 000026
【図２１】
2018085981.tif 000027
【図２２】
2018085981.tif 000028
【図２３】
2018085981.tif 000029
【図２４】
2018085981.tif 000030
【図２５】
2018085981.tif 000031
【図２６】
2018085981.tif 000032
【図２７】
2018085981.tif 000033
【図２８】
2018085981.tif 000034
【図２９】
2018085981.tif 000035
【図３０】
2018085981.tif 000036
【図３１】
2018085981.tif 000037
【図３２】
2018085981.tif 000038
【図３３】
2018085981.tif 000039
【図３４】
2018085981.tif 000040